(57)【要約】【課題】  分離された構造の左右の腰当部を中心にして締め付け力を働かせるとともに、腰回り全体に均一な締付を行って締付負荷をかけることができる腰用サポータを提供する。【解決手段】  左側の腰当部２（２ａ）と右側の腰当部３（３ａ）を分離させる一方、左の腰当部２（２ａ）と右側の腰当部３（３ａ）を連結させる中央連結帯４と、中央連結帯４の長さや伸縮力を調節する第１の調節用帯７（７ａ），８（８ａ）を設けるとともに、前記第１の調節用帯と連結された左右の締め付けベルト５（５ａ，５ｂ）を備える。【選択図】  図１
2019010393.tif 000002
【特許請求の範囲】
【請求項１】
腰当部と、腰当部から伸びて互いに係着される腰ベルトと、腰当部と腰ベルトを締め付ける締め付けベルトを備えた腰用サポータにおいて、
左側の腰当部と右側の腰当部を分離させる一方、左側の腰当部と右側の腰当部を連結させる中央連結帯と、中央連結帯の長さや伸縮力を調節する第１の調節用帯を設けるとともに、前記第１の調節用帯と連結された左右の締め付けベルトを備えることを特徴とする腰用サポータ。
【請求項２】
前記左右の締め付けベルトを引き出すと、前記第１の調節用帯が左右に引っ張られて、これにより第１の調節用帯が伸長して前記中央連結帯の伸長力が弱められるか、又は、前記中央連結帯が折り畳まれるようになって、左右の腰当部の間隔を調節することを特徴とする請求項１記載の腰用サポータ。
【請求項３】
前記第１の調節用帯は、前記中央連結帯の上方に覆うようにしてベルトに連結されるとともに、互いに交叉して配される部分を備え、前記左右の締め付けベルトは、係合リングを介して引き出し方向に引き出されることを特徴とする請求項１記載の腰用サポータ。
【請求項４】
前記左右の締め付けベルトは、前記第１の調節用帯を介して左右に引き出されるとともに、前記左右の締め付けベルトに第２の調節用帯が左右の締め付けベルトに設けられており、前記第２の調節用帯を介して引き出されていることを特徴とする請求項１記載の腰用サポータ。
【請求項５】
前記中央連結帯は、伸縮性素材であって、前記第１の調節用帯は、これよりも伸縮性の小さな非伸縮性の素材であり、前記中央連結帯の伸縮幅よりも広い範囲に配置されて、前記中央連結帯の伸縮力を調整することを特徴とする請求項４記載の腰用サポータ。
【請求項６】
前記中央連結帯の伸縮力と前記第１の調節用帯の伸縮力が対応して伸縮させるか、又は、前記中央連結帯の長さに対する前記第１の調節用帯の長さを対応させるかして、前記左右の腰当部が重なり合うことがないように左右の腰当部の間隔の調節がなされることを特徴とする請求項１ないし５のいずれか１項記載の腰用サポータ。
【発明の詳細な説明】
【技術分野】
【０００１】
本発明は、腰回りを強力に締め付け保持する腰用サポータに関する。
【背景技術】
【０００２】
一般に、皮膚、関節、腱、軟骨、ならびにその周辺の筋肉等の保護をするために各種サポータが使用されている。サポータの種類には、素材形態によりテープ状、布帛などがあり、また使用する箇所によって腕用、膝用、及び腰用等、様々なものがある。腰用サポータは背中、臀部、及び腰回りの、骨格、筋肉、及び神経を保護する他、装着した際の見栄えや身体に装着し易いような工夫がされる。腰用サポータは、装着部に対応した形状として装着感を向上させるために、例えば、腰用サポータの中央の縦幅を大きくし、腰用サポータの先端方向の縦幅を小さくする等の工夫がなされる。
【０００３】
腰回りの皮膚、関節、腱、軟骨、ならびにその周辺の筋肉等には動きの大きい部位と動きの小さい部位がある。例えば関節周りはその可動域により大きく部位の形態が変化する。また呼吸によっても腹部の皮膚や筋肉の部位には大きく形態が変化する。そのため動きの大きい部位を腰用サポータの伸縮部が保護しつつ、動きの小さい部位は腰用サポータの非伸縮部が保護する構成とすることで関節や筋肉等の動きを制限し圧迫して保護する等、腰用サポータの各部材の伸縮性・非伸縮性素材の選択に工夫を施すことで、装着感を維持向上させることができる。
【０００４】
特許文献１には、着用者の腰部にフィットし、着用者の背部を十分に押圧して、着用感を向上させた腰用サポータであって、腰用サポータ１００は、略Ｖ字形状の帯状体からなり、背当部の一の側辺に二箇所で固定され、当該一の側辺及び背当部の中央間にＶ字頂点が配設される第１の押圧バンド部３０と、一端４１が第１の押圧バンド部３０のＶ字頂点３３に固定され、他端４２に配設される面ファスナーのフック４３が右側の巻回部２０のループ２１に係着される第１の引張バンド部４０と、略Ｖ字形状の帯状体からなり、背当部の他の側辺に二箇所で固定され、当該他の側辺及び背当部の中央間にＶ字頂点が配設される第２の押圧バンド部５０と、一端６１が第２の押圧バンド部５０のＶ字頂点５３に固定され、他端６２に配設される面ファスナーのフック６３が左側の巻回部２０のループ２１に係着される第２の引張バンド部６０とを備える、腰用サポータが記載されている。
【０００５】
特許文献２は、腰部の周径差を吸収し、利用者が動いても腰部を締め付ける働きを損ねない腰ベルト１であって、左内締付ベルト４３は、左本体ベルト２から延ばして右本体ベルト３の左折り返しリング３３で折り返し、右内締付ベルト５３は、右本体ベルト３から延ばして左本体ベルト２の右折り返しリング２３で折り返し、左副締付ベルト６は、右本体ベルト３から左方向に延ばし、右副締付ベルト７は、左本体ベルト２から右方向に延ばし、左外締付ベルト４４は、左副締付ベルト６に接続し、左本体ベルト２に着脱する左固定リング４５から折り返し、左内締付ベルト４３の左連結リング４３３から折り返して左本体ベルト２に接続し、右外締付ベルト５４は、右副締付ベルト７に接続し、右本体ベルト３に着脱する右固定リング５５から折り返し、右内締付リング５３の右連結リング５３３から折り返して右本体ベルト３に接続した腰ベルト１が記載されている。
【先行技術文献】
【特許文献】
【０００６】
【特許文献１】特開２０１６−０６７８７０号公報
【特許文献２】特開２０１６−１２５１８３号公報
【発明の開示】
【発明が解決しようとする課題】
【０００７】
特許文献１記載の腰用サポータ１００は、着用時、第１に、面ファスナーのフック２４で係着領域２２に係着させることで巻回部２０を係着させた後、第２に、第１の引張バンド部４０と第２の引張バンド部６０とを引き出してさらに締め付けることで係着させる。そのため当然に、第１の係着、すなわち巻回部２０を係着させた時の腰用サポータ２０の径よりも、第２の係着、すなわち引張バンド部を引き出して係着させた時の腰用サポータ２０の径の方が、小さくなる。
【０００８】
しかしながら、特許文献１記載の腰用サポータ１００は、巻回部２０と背当部１０とが縫製されて、右側の巻回部２０と左側の巻回部２０とは一体となっている。そのため腰用サポータ１００自身の形態維持により、第１の引張バンド部４０と第２の引張バンド部６０とによる引き出し時に、さらなる締付をする力が弱まる。使用者の背部において左側の巻回部２０と右側の巻回部２０とは接近する方向へ移動しようとするが、背当部１０によりその動きが阻害される。
【０００９】
一方、特許文献２記載の腰ベルト１は、左内締付ベルト４３と右内締付ベルト５３とが左右非対称に斜めに配置されて、斜めに引き出されるので左右一対の腰当が斜めに移動する可能性があり、左右に均等に力がかからず腰部を支持する力が不均一になる可能性がある（図１）。また左副締付ベルト６及び右副締付ベルト７は伸縮性のため、非伸縮性の素材と比較すると左副締付ベルト及び右副締付ベルトの締付力は低減する。そのため特に、大きな締付は困難である。また左本体ベルト２、右本体ベルト３、左内締付ベルト４３、左外締付ベルト４４、右内締付ベルト５３、及び右外締付ベルト５４は非伸縮性素材である。そのため、左本体ベルト２の外面に設けた面ファスナーの雌面２４２に、右本体ベルト３の左端３１の内面に設けた面ファスナーの雄面３４１を掛合させた後は、特に腰ベルト１の下部において、腰ベルト１の径を掛合させた径よりも大きくすることが難しく、使用者が呼吸すると圧迫感が生じる。さらに左副締付ベルト６と右副締付ベルト７とが伸縮性である一方で、左内締付ベルト４３と、左外締付ベルト４４と、右内締付ベルト５３と、右外締付ベルト５４とは非伸縮性素材であるから、腰ベルト１の上下で不均一な締付力が生じる。
【００１０】
また、特許文献２では、左内締付ベルト４３、左外締付ベルト４４、右内締付ベルト５３、右外締付ベルト５４等が斜めの引き出し用に使用されると、傾いた締め付け力になってしまう問題や、連結リングが第２の係着の際に腰用サポータの径を容易に縮小させることができるが、巻き回す方向に腰用サポータの左右を引っ張るために（係合リングを介して強力に締め付けようとすると、腰当部が移動することや、腰当部が重なり合うように移動すると、安定した腰当にはならないために）、使用者の背部、特に腰椎を中心とする面に十分な圧をかけることが難しかった。また、締め付けベルトを係止する係合リングの位置が肌（腰）に接触する位置にあるなどの問題も有する。
【００１１】
そこで本発明の目的は、分離された構造の左右の腰当部を中心にして締め付け力を強力に働かせるとともに、腰回り全体に均一な締付を行って締付負荷をかけることができる腰用サポータを提供する。
【課題を解決するための手段】
【００１２】
本発明は、腰当部と、腰当部から伸びて互いに係着される腰ベルトと、腰当部と腰ベルトを締め付ける締め付けベルトを備えた腰用サポータにおいて、左側の腰当部と右側の腰当部を分離させる一方、左の腰当部と右側の腰当部を連結させる中央連結帯と、中央連結帯の長さや伸縮力を調節する第１の調節用帯を設けるとともに、前記第１の調節用帯と連結された左右の締め付けベルトを備えることを特徴とする。中央連結帯としては、一枚ものでもよいが、凹状のものやＵ字状のものや折り畳まれるような構造を有することが好ましい。
本発明によれば、手で左右の締め付けベルトを引き出すと、前記第１の調節用帯が左右に引っ張られて、これにより第１の調節用帯の長さや伸縮力を調節して前記中央連結帯が左右の腰当部の間隔を調節するので（外側に凹状に変形したり、外側に折れ込んだりするために）、前記左右の腰当部が近付くことで腰部を引き締める。そして、左右の腰当部を中心にして締め付け力が働かせることできるようになるので、腰当部のずれがなくなり、効果的な締め付け力を得ることができる。すなわち、使用者の背部、特に腰椎を中心とする左右の面（左右の腰部）にも十分な押圧力を生じさせる。
【００１３】
本発明としては、前記左右の締め付けベルトを引き出すと、前記第１の調節用帯が左右に引っ張られて、これにより第１の調節用帯が伸長して前記中央連結帯の伸長力が弱められるか、又は、前記中央連結帯が折り畳まれるようになって、左右の腰当部の間隔を調節することを特徴とする。
本発明によれば、前記中央連結帯も前記第１の調節用帯も、外側に配置されていることが好ましいが、第１の調節用帯が伸長するなどして前記中央連結帯が左右の腰当部の間隔を調節するので、第１の調節用帯が外側に凹状に変形したり、外側に折れ込んだりするために、肌（腰）に接触する箇所には、係合リングなどを接触させるようなことがなくなり、特に腰椎を中心とする面にも十分に強力な押圧力を生じさせる。
【００１４】
本発明としては、前記左右の締め付けベルトは、前記第１の調節用帯を介して左右に引き出されるとともに、第２の調節用帯が左右の締め付けベルトに設けられており、前記第２の調節用帯を介して引き出されていることを特徴とする。左右の締め付けベルトには、係合リングを介して折り返される左右の折り返し部を備えて、前記第２の調節用帯を設けることが好ましい。前記第２の調節用帯は、第１の調節用帯の長さ（伸縮する量）とともに前記中央連結帯の長さ（伸縮する量）を調整する。
本発明によれば、前記中央連結帯による左右の腰当部の間隔は前記第１の調節用帯による調節のほか前記第２の調節用帯による調節によっても行われるので、均一な締付を行って腰回り全体に締付負荷を均一にかけることができる。
【００１５】
本発明としては、前記第１の調節用帯は、前記中央連結帯の上方に覆うようにしてベルトに連結されるとともに、互いに交叉して配される部分を備え、前記左右の締め付けベルトは、係合リングを介して引き出し方向に引き出されることを特徴とする。
本発明によれば、左右の締め付けベルトを左右の腰当部を中心にした腰部の締め付け力が得られることになる。すなわち、左右の締め付けベルトをベルト幅に沿って平行かつ中央に引き出されることで、腰部外周や脇腹部や前方腹部においても、ベルト幅に沿ってかつ中央において均一な締め付け力を得ることできるようになる。
【００１６】
本発明としては、前記中央連結帯の伸縮力と前記第１の調節用帯の伸縮力が対応して伸縮させるか、又は、前記中央連結帯の長さに対する前記第１の調節用帯の長さを対応させるかして、前記左右の腰当部が重なり合うことがないように左右の腰当部の間隔の調節がなされることを特徴とする。また、前記中央連結帯と前記第１の調節用帯は、いずれも左右の腰当部の外側に配置され、前記左右の腰当部が重なり合うことがないことが好ましい。
本発明によれば、左右の腰当部を中心にした腰部の締め付け力が得られることになる。すなわち、左右の締め付けベルトを引き出すことで、仮に、左右の腰当部が重なり合うと、脊髄を中心にしてその左右からの対称的な締め付け力がかからなくなる（脊髄の一か所としての押圧力しかかからなくなる）。しかし、本発明によれば、重なり合わないようになっていることから、左右の腰当部を中心にして締め付け力が働かせることできるようになる。
【発明の効果】
【００１７】
本発明によれば、左側の腰当部と右側の腰当部を分離させる一方、左の腰当部と右側の腰当部を連結させる中央連結帯と、中央連結帯の長さや伸縮力を調節する第１の調節用帯を設けるとともに、前記第１の調節用帯と連結された左右の締め付けベルトを備えることから、左右の腰当部を中心にして締め付け力が働かせることできるようになるので、腰当部のずれがなくなり（腰当部の重なり合いが生じることがなく）、効果的な締め付け力を得ることができる。
また、左右の締め付けベルトに前記第２の調節用帯を設けることにより、前記第２の調節用帯は、第１の調節用帯の長さ（伸縮する量）とともに前記中央連結帯の長さ（伸縮する量）を調整することが可能になり、中央連結帯による左右の腰当部の間隔は前記第１の調節用帯による調節のほかにも前記第２の調節用帯による調節によっても行われるので、均一な締付を行って腰回り全体に締付負荷をかけることが可能になる。
【図面の簡単な説明】
【００１８】
【図１】本発明の第１の実施の形態に係る腰用サポータの正面図である。
【図２】上記実施形態の腰用サポータの背面図である。
【図３】上記実施形態の腰用サポータの斜視図である。
【図４】上記実施形態の腰用サポータの参考斜視図である。
【図５】上記実施形態の腰用サポータを参考斜視図である。
【図６】本発明の第２の実施の形態に係る腰用サポータの斜視図である。
【図７】上記第２の実施の形態に係る左右の腰当部が重なり合わないことを説明する図である。
【発明を実施するための形態】
【００１９】
以下、本発明を実施するための形態を図面を引用しながら説明する。
【００２０】
（実施の形態）
図１は本実施形態の腰用サポータ１の正面図であり、長さ方向を横方向にして展開して表側から示した図である。図２は腰用サポータ１の背面図であり、図１の腰用サポータを身体に密着する面である裏側から示した図である。図３は本実施の形態の腰用サポータ１の斜視図であり、図１の腰用サポータ１を下方から上方へ向けて見た場合を示す。図４及び図５は、図３による説明を補助するための参考斜視図である。図４は図１の腰用サポータ１を左側下方から右側上方へと見た場合を示し、図５は腰用サポータ１を裏側から見た斜視図である。
【００２１】
本発明において腰用サポータ１を装着した際に、身体に密着しない側（外から見える面）は、腰用サポータ１の「表側」と呼ぶ（図１，３，４）。身体に密着する側（外から見えない面）は、腰用サポータ１の「裏側」と呼ぶ（図２，５）。
【００２２】
本実施の形態の腰用サポータ１は周方向に伸縮性を有し、図１及び図２に示すように、腰用サポータ１は使用者の腰部に当接される左右一対の腰当部２と、腰当部２と一体的に繋がり腰側部に巻き回される左右一対の腰ベルト３と、左右一対の腰当部２を連結して腰椎を支持する中央連結帯４と、腰ベルト３の外側から巻き回されて腰ベルト３を補助する左右一対の締め付けベルト５と、一端が腰当部２に固着されるとともに、他端が係合リング６を介して締め付けベルト５に連結される、左連結帯７と右連結帯８とを有する。
【００２３】
本発明において、「左右一対」とは図１及び図２に示す腰用サポータ１の中心線Ａを基準にして左右線対称であることを意味する。本発明において「左側」とは、図１に示した、腰用サポータ１の表側において左側であることを意味し、「右側」とは、図１に示した、腰用サポータ１の表側において右側であることを意味する。
【００２４】
本実施の形態の腰用サポータ１は、背中、臀部、及び腰回りの、骨格、筋肉、及び神経を保護及び／又は機能強化するためのサポータであり、その生地の材質としては、レーヨン、ポリエステル、ナイロン、及び／もしくはアクリルなどの合成繊維、及び／もしくはゴム質の繊維、ならびに／又はそれらの組み合わせからなり、これら繊維が織り込まれて多層構造とされる。
【００２５】
腰当部２と腰ベルト３とは、一枚の通気性を有する伸縮性素材が生地として使用された一連一体の構成とされており、外縁部９により縁取りされるとともに、係着手段１０等の非伸縮性素材が一部重ねて縫い付けられている。腰ベルト３には係着手段１０（例えば面ファスナーの雌部）が縫い付けられ、係着手段１０が縫い付けられていない側が右腰当部２となる（図１）。
【００２６】
腰当部２には、腰用サポータ１を表側から見た場合に、左右の連結帯７，８を係止する非伸縮性の係止部１１が、腰用サポータ１の伸縮性素材の生地に縫い付けられる（図１）。腰当部２は、係止部１１を境として係止部１１よりも中心線Ａに近い側、すなわち中央連結帯４と接続する側を支持部２ａとし、係止部１１よりも中心線Ａに遠い側、すなわち腰ベルト部３に接続する側を移行部２ｂとする（図１）。
【００２７】
支持部２ａと移行部２ｂとは縦幅が異なり、支持部２ａは腰ベルト３よりも縦幅が広く、およそ一定の縦幅を有し、腰椎や胸腰筋膜を支持するに十分な幅を有する。支持部２ａの縦幅は、特に限定はされないが、成人であれば好ましくは１０ｃｍ〜２０ｃｍとし、より好ましくは１２ｃｍ〜１７ｃｍとする。支持部２ａの横幅は支持部２ａの縦幅より小さく、支持部２ａの横幅は、成人であれば、好ましくは５ｃｍ〜１５ｃｍとし、より好ましくは８ｃｍ〜１２ｃｍとするが、これにより限定はされない。移行部２ｂは支持部２ａと腰ベルト３の間に位置し、支持部２ａから腰ベルト３に近づくにつれて漸次縦幅が狭くなる構成とされる（図１、図２）。移行部２ｂを伸縮性素材とすることで、後述するように腰用サポータ１を装着した際に巻き回した方向と逆方向の弾性力（伸長回復力）を生じさせ、腰ベルト３で締付けした際の装着感を向上させる。
【００２８】
支持部２ａは、腰用サポータ１の裏側において、上部に開口部１２ａを有するポケット状の収納部１２を有する（図２，５）。収納部１２には腰用サポータ１の締付による腰部の圧迫を分散させて装着感を向上させるためのクッション材が挿入される。
【００２９】
腰ベルト３は背部から腹部にかけて腰に巻き回され、腰回りを外側から圧迫支持し、例えば複斜筋、腹直筋、腹横筋などを支える。腰ベルト３の縦幅は、特に限定はされないが、成人であれば好ましくは５ｃｍ〜１０ｃｍとする。腰ベルト３の横幅は、使用者の胴囲に合わせて適宜変更されることが好ましい（図１、図２）。
【００３０】
腰ベルト３の表側には伸縮性素材の上から面ファスナーの雌部等の係着手段１０が縫い付けられている（図１）。また腰ベルト３の裏側において、左右一対の腰ベルトのいずれか一方には、伸縮性素材の上から面ファスナーの雄部等の係着手段１３が縫い付けられており、左右一対の腰ベルト３を互いに重ね合わせた時に着脱自在な係着状態とする（図２）。例えば、図２に示すように一方の腰ベルト３の裏側に面ファスナーの雄部１３が配されて、図１に示した他方の腰ベルト３の表側に配された面ファスナーの雌部１０と重ね合わされて係着する。
【００３１】
図３を用いて締め付けベルト（第２の調節用帯）５の詳細を説明する。第２の調節用帯である締め付けベルト５は非伸縮性素材の第１の締め付けベルト５ａと、伸縮性素材の第２の締め付けベルト５ｂからなり、第１の締め付けベルト５ａは、その一端５０ａが腰ベルト３の表側に縫い付けられた係着手段１０に接続し、係合リング６を通過して折り返される（図３）。第１の締め付けベルト５ａの他端には裏側に面ファスナーの雄部等の係着手段１０が縫い付けられており（不図示）、折り返された第１の締め付けベルト５ａが腰ベルト３の係着手段１０に係着する構成となる。例えば、腰用サポータ１の非装着時には、右側の締め付けベルト５ａの係着手段１０は、右側の腰ベルト３の係着手段１０に係着し、腰用サポータ１の装着時には、右側の第１の締め付けベルト５ａの係着手段は、左側の腰ベルト３の係着手段１０に係着する。第２の締め付けベルト５ｂは第１の締め付けベルト５ａよりも短く、第２の締め付けベルト５ｂの一端５０ｂは腰ベルト３の表側に縫い付けられた係着手段１０に接続し、第２の締め付けベルト５ｂの他端５１ｂは、第１の締め付けベルト５ａの裏側に縫い付けられる。第１の締め付けベルト５ａの一端５０ａと、第２の締め付けベルト５ｂの一端５０ｂとは重なるようにして係着手段１０の端に接続する。
【００３２】
第１の締め付けベルト５ａの一端５０ａ（腰ベルト３の表側に縫い付けられた係着手段に接続する箇所）から、第２の締め付けベルト５ｂの他端５１ｂが第１の締め付けベルト５ａに縫い付けられた箇所５１ａまでの長さは、第２の締め付けベルト５ｂの一端５０ｂから他端５１ｂまでの長さと比較して長くなるように構成する（図３）。
【００３３】
このことにより第１の締め付けベルト５ａを腰回りに巻き回して、腰ベルト３に係着した際に、第１の締め付けベルト５ａによって巻き回した方向とは逆方向に、伸縮性素材の第２の締め付けベルト５ｂが弾性力（伸長回復力）を生じさせる。この逆向きの弾性力（伸長回復力）によって腰回りを締め付ける力に弾性力（伸長回復力）が生じるため装着感が向上するとともに、腰椎や背骨方向へ向かう腰当部２による圧迫が可能となる。また第１の締め付けベルト５ａを巻き回した際の引張力を調節することで、第２の締め付けベルト５ｂによる逆向きの引張力・弾性力（伸長回復力）も調節されるため、腰回りを締め付ける力を調節することができる。さらに移行部２ｂも伸縮性素材であるため、腰用サポータ１を装着した際には、移行部２ｂも同様に第１の締め付けベルト５ａで巻き回した方向と逆方向へ弾性力（伸長回復力）を生じさせることができ、腰ベルト３で締付した際の装着感を向上させる。
【００３４】
係合リング６は、金属部材や汎用プラスチック等の非伸縮性素材が使用され、汎用プラスチックは装着感の点から好適である。この係合リング５を介して締め付けベルトを強力に引き出すためである。
【００３５】
連結帯（第１の調節用帯）は、左右一対の腰当部２に配された係止素材１３に縫い付けられて連結する中央連結帯４と、一端７０ａ，７０ｂが右側の腰当部２ａの係止部１１に連結されて、他端７１ａ，７１ｂが左側の係合リング６に係合する左連結帯７と、一端８０ａ，８０ｂが左側の腰当部２ａの係止部１１に連結されて、他端８１ａ，８１ｂが右側の係合リング６に係合する右連結帯８と、からなる（図４〜６）。中央連結帯４は伸縮性素材からなり、左連結帯７と右連結帯８とは非伸縮性素材からなるが、いずれも伸縮性素材として、その伸縮力を調節しても良い。
【００３６】
左連結帯７と右連結帯８とは締め付けベルト５で巻き回した際により均一に引張力が生じるよう左右対称の形状とされる。例えば本実施例に示すように、左右対称の不等号形状であり、左連結帯７が小なり形状との場合、右連結帯８が大なり形状となる。小なり形状の左連結帯７は、右側の腰当部２ａに配された係止部１１の上方７０ａで接続する左上帯７ａと、同係止部１１の下方７０ｂで接続する左下帯７ｂの二つに分かれ、大なり形状の右連結帯８も同様に、左側の腰当部２ａに配された係止部１１の上方８０ａで接続する右上帯８ａと、同係止部１１の下方８０ｂで接続する右下帯８ｂの二つに分かれている（図１，３，４）。
【００３７】
本実施例のように、左上帯７ａが右上帯８ａよりも上に重ねられた場合、左下帯７ｂは右下帯８ｂよりも下に重ねられることが好ましい（図１，３，４）。もし左上帯７ａが右上帯８ａよりも下に重ねられた場合、左下帯７ｂは右下帯８ｂよりも上に重ねられる。このような構成をとることで、左右一対の締め付けベルト５が係着されていない場合や、それらを身体から離れる方向へ引っ張った場合に、左連結帯７と右連結帯８とは互いに干渉しあうことで、身体から離れる方向への締め付けベルト５、左連結帯７、及び右連結帯８の動きが抑制されて、コンパクトな構成とる。例えば本実施例にように、左上帯７ａが右上帯８ａの上に重ねられ、左下帯７ａが右下帯８ａの下に重ねられる構成であれば、右上帯８ａは左上帯７ａによって身体から離れる方向への動きが制限され、左下帯７ｂは右下帯８ｂによって身体から離れる方向への動きが制限されて、左連結帯７と右連結帯８との双方が身体から離れにくくなる。
【００３８】
（本発明の腰用サポータ１を装着する際の具体例）
腰用サポータ１の装着例を説明する。まず左右一対の腰ベルト３を腰回りに巻き回し、右側の腰ベルト３の裏側に配された面ファスナーの雄部１３（図２）と、左側の腰ベルト３の表側に配された面ファスナーの雌部１０（図１）とを係着させる。
【００３９】
伸縮性素材の中央連結帯４及び伸縮性素材の移行部２ｂは、巻き回された方向と逆方向（腰用サポータ１が元の大きさへと縮む方向）へ弾性力（伸長回復力）を生じさせるので、使用者が呼吸をした際にも無理な締付力が生じない構成となっている。
【００４０】
係着された一対の腰ベルト３の上から第１の締め付けベルト５ａを巻き回し、第１の締め付けベルト５ａの裏側に縫い付けられた面ファスナーの雄部（不図示）と、腰ベルトの表側に配された面ファスナーの雌部１０（図１）とで係着させる。
【００４１】
左右一対の腰当部２ａは伸縮性素材の中央連結帯４によって連結されるが、半独立して形態である。そのため第１の締め付けベルト５ａを用いて係着させる際、使用者の背部において左右一対の腰当部２ａは近接する方向に移動することができ、容易に締め付けることができる。
【００４２】
左連結帯７と右連結帯８は対称の構造とされ、各々の上帯７ａ，８ａが、それぞれ係止部１１の上部７０ａ，８０ａへ連結し、かつ各々の下帯７ｂ，８ｂが係止部１１の下部７０ｂ，８０ｂに連結されているため、腰当部２ａにかかる引張力は分散され、広範囲に渡り引張力が生じる。したがって偏った締付力が生じず、腰回りの締付力も分散され、使用者の装着しやすい構成とされる。
【００４３】
第１の締め付けベルト５ａを腰回りに最大限巻き回した際、伸縮性素材の第２の締め付けベルト５ｂは、非伸縮性素材の第１の締め付けベルト５ａと同じ長さまで伸長するとともに、係合リング６は、第１の締め付けベルト５ａや第２の締め付けベルト５ｂの一端が腰ベルトの係着手段に接続する箇所５０ａ，５０ｂまで移動する（図３）。
【００４４】
また第１の締め付けベルト５ａで係着した場合、上述のように伸縮性素材の第２の締め付けベルト５ｂと移行部２ａとが、第１の締め付けベルト５ａで腰回りに巻き回す方向（腰用サポータが横方向へ伸長する方向）と、逆方向（腰用サポータ１が横方向へ縮小する方向）の弾性力（伸長回復力）を生じさせるため、使用者は呼吸がしやすい構成とされている。さらに第１の締め付けベルト５ａと、係合リング６と、左連結帯７と、右連結帯８とは非伸縮性素材からなるため、第１の締め付けベルト５ａを腰回りに最大限巻き回して係合リング６が接続箇所５０ａ，５０ｂで止まった場合、周方向にさらに伸長可能な部材は、伸縮性素材の移行部２ｂのみとなる。そのため第１の締め付けベルト５ａを腰回りに巻き回した際には大きな締付力を生じさせることもできる。
【００４５】
（第２の実施の形態）
図６は腰用サポータ１の正面図であり、腰ベルト３を引き出して左右一対の腰当部２が互いに当接した際の図である。本発明の第２の実施の形態は、腰用サポータ１を装着した際、使用者の背部において、図６に示したように左右一対の腰当部２が接触するが、互いに重ね合わされない構成とされ、より均一な圧迫を可能とする。第１の実施の形態と同じ点については、その説明を省略する。
【００４６】
図７は本実施の形態の腰用サポータ１の詳細な構成を示す斜視図である。本実施の形態では、中央連結帯４、左連結帯７及び右連結帯８、ならびに補助ベルト５が、左右一対の腰当部２が互いに重ね合わされないようにするための調節部材として構成され、各々及び／または互いに作用する。なお本実施の形態では、左右一対の腰当部２が背部において互いに重ね合わされた場合を「重複」とし、重複分の長さを、「重複長」として説明を行う。また本実施の形態では、特に断りがない限り、「横幅」とは図１における横方向の長さを指し、腰用サポータ１を伸縮させていない状態の長さである。なお伸縮性素材の場合、元の長さ（伸縮していない場合の長さ）を横幅とし、最大伸長は最大横幅長とする。
【００４７】
図７を用いて、重複長＜０とする場合を説明する。第１の補助ベルト５ａの一端５０ａから第１の補助ベルト５ａが係合リング６で折り返される折返点５２ａまでの長さを横幅Ｘ５ａとする。横幅Ｘ５ａと中央連結帯４の横幅Ｘ４とは、Ｘ５ａ＜Ｘ４とすることで重複長＜０となる。これは左右の腰当部３が重複する前に、係合リング６が係着手段１０と補助ベルト５との接合箇所となる、一端５０ａ，５０ｂで止まるためである。
【００４８】
Ｘ５ａ＜Ｘ４とするには少なくとも４通りの構成がある。１つ目は中央連結帯４の横幅Ｘ４を長くすることでＸ５ａ＜Ｘ４とする構成である。中央連結帯４が伸縮性素材の場合、中央連結帯の最大横幅長Ｘ４をＭＡＸとすると、Ｘ５ａ＜Ｘ４をＭＡＸとする。２つ目は連結帯の横幅（左連結帯７の横幅Ｘ７、右連結帯８の横幅Ｘ８）を長くすることにより、係合リング６を係着手段１０に近づけ、Ｘ５ａを短くし、Ｘ５ａ＜Ｘ４とした構成である。３つ目は係着手段１０を移行部２ｂまで配するか、移行部２ｂの横幅を短くして腰ベルト３の横幅を長くするかにより、係着手段１０を係合リング６に近づけ、Ｘ５ａを短くし、Ｘ５ａ＜Ｘ４とする構成である。４つ目は係合リング６の横幅Ｘ６を長くすることで、Ｘ５ａ＜Ｘ４とする構成である。
【００４９】
次に、Ｘ５ａ＜Ｘ４とする以外の方法で、重複長＜０とする場合を図７を用いて説明する。第１の補助ベルト５ａを外側へ引き出す（装着時は巻き回す）と、左上帯７ａが右上帯８ａの上に重ねて配されているため、左上帯７ａの一端７０ａの下部７０ｃは、右上帯８ａの中間位置８０ｄと互いに交差して干渉しあい、それ以上外側へ引き出されないよう作用する。また同様にして左下帯７ｂが右下帯８ｂの下に重ねて配されているため、左下帯７ｂの中間位置７０ｄは、右下帯８ｂの一端８０ｂの上部８０ｃと互いに交差して干渉しあい、それ以上外側へ引き出されないよう作用する。
【００５０】
中央連結帯４が元の長さを保つ、腰用サポータ１を伸縮させていない状態において、７０ｃから８０ｄまでの長さを横幅ＸＲとし、７０ｄから８０ｃまでの長さを横幅ＸＬとする。中央連結帯４の横幅Ｘ４に対し、Ｘ４＞横幅ＸＲ及び／または横幅ＸＬとすることで、重複長＜０となる。横幅Ｘ４＞横幅ＸＲとするための構成と、横幅Ｘ４＞横幅ＸＬとするための構成の説明は重複するため、横幅Ｘ４＞横幅ＸＲとする構成を説明し、横幅Ｘ４＞横幅ＸＬも同様としてその説明を省略する。
【００５１】
横幅Ｘ４＞横幅ＸＲとする構成としては、左右の連結帯の横幅（左連結帯７の横幅Ｘ７、右連結帯８の横幅Ｘ８）、を長くすることで連結帯の上帯及び下帯の傾斜を緩やかとして、横幅ＸＲを短くする構成が考えられる。
【００５２】
このように、本実施の形態の腰用サポータ１において、中央連結帯４、左連結帯７及び右連結帯８、ならびに補助ベルト５が、調節部材として構成されることで、左右一対の腰当部２が互いに重ね合わされないように作用し、左右の腰当部２による腰部への均一な圧迫を可能としている。以上のように本発明を説明してきたが、本発明はその趣旨を逸脱しない範囲において適宜変更することが可能である。
【符号の説明】
【００５３】
１                            腰用サポータ、
２                            腰当部、
２ａ                          支持部、
２ｂ                          移行部、
３                            腰ベルト、
４                            中央連結帯、
５                            締め付けベルト（補助ベルト、第２の調節用帯）、
５ａ                          第１の（左側の）締め付けベルト（第１の補助ベルト）、
５ｂ                          第２の（右側の）締め付けベルト（第２の補助ベルト）、
６                            係合リング、
７                            左連結帯（第１の調節用帯）、
７ａ                          左上帯（第１の調節用帯）、
７ｂ                          左下帯（第１の調節用帯）、
８                            右連結帯（第１の調節用帯）、
８ａ                          右上帯（第１の調節用帯）、
８ｂ                          右下帯（第１の調節用帯）、
９                            外縁部、
１０                          係着手段、
１１                          係止部、
１２                          収納部、
１３                          係止素材、
Ａ                            中心線
【図１】
2019010393.tif 000003
【図２】
2019010393.tif 000004
【図３】
2019010393.tif 000005
【図４】
2019010393.tif 000006
【図５】
2019010393.tif 000007
【図６】
2019010393.tif 000008
【図７】
2019010393.tif 000009